(57)【特許請求の範囲】
【請求項１】
被取付部に取り付けられる取付部を有する照明器具を包装する照明器具の包装材であって、
第１側壁を開放して前記照明器具を内部に受け入れて収納する包装箱と、
前記包装箱内に収納可能な平板形状を有するトレーと、
前記照明器具が取り付けられ且つ前記トレーに固定される固定アダプタと
を備え、
前記固定アダプタは、前記トレーに形成された挿入口に挿通されて前記固定アダプタを前記トレーに固定する延伸片を有し、
前記延伸片は、前記固定アダプタを前記トレーに固定した場合に前記固定アダプタから前記トレー側に向かって傾斜して延びるようにして形成された傾斜面を有し、
前記傾斜面は、前記照明器具を前記固定アダプタを介して前記トレーに固定した状態で前記包装箱に収納する際、滑るようにして前記包装箱の開口部の縁に乗り上げる
ことを特徴とする包装材。
【請求項２】
前記固定アダプタは、前記照明器具を保持する保持部を有し、
前記トレーは、前記保持部を前記包装箱の底壁側から通過させる保持部用の抜き孔を有する
請求項１に記載の包装材。
【請求項３】
前記延伸片は、前記トレーよりも前記底壁側に位置する部位から延出している
請求項２に記載の包装材。
【請求項４】
前記固定アダプタは、前記トレーにおける前記包装箱の天井壁側の面より上方部位に、外方に向かって張り出す固定部を有する
請求項２又は３に記載の包装材。
【請求項５】
前記固定アダプタは、前記トレーに対して前記底壁側に配される板状のベース部と、前記ベース部から前記抜き孔を通過して前記天井壁側へと延出する筒部と、前記筒部の天井壁側の開口を塞ぐ蓋部とを有し、
前記保持部は、前記蓋部に設けられ、
前記固定部は、前記筒部に設けられ、
前記延伸片は、前記ベース部から延出している
請求項４に記載の包装材。
【発明の詳細な説明】
【技術分野】
【０００１】
本発明は、被収納物を包装箱内に収納して包装する包装材に関するものである。
【背景技術】
【０００２】
被収納物の一例である、工場等で製造した照明器具は、その各部品を包装箱内に収納して包装し、この包装による荷姿で出荷している。このような照明器具の包装体としては、一般的には、包装箱と、この包装箱内において収納すべき照明器具を固定するために段ボール箱内に収納される発泡スチロール等の緩衝材から成っている。
【０００３】
しかし、包装体は、通常、ユーザーの手元に届き開梱された後は廃棄処分に付されるため、包装用の部材の品数はできるだけ抑制することが望ましい。このため、照明器具本体の中心部を保持することで、包装用部品の品数をできるだけ抑えつつ、照明器具を固定して包装する包装体も提案されている（例えば、特許文献１等参照）。
【０００４】
この特許文献１に記載されている包装体は、具体的には、図１３に示すように、固定具９１０の突出部９０３を、底板９１１の貫通中心孔９１２及び照明器具本体９０７の取付孔９０８に貫通させることにより、照明器具本体９０７を底板９１１に固定して収納するものである。
【先行技術文献】
【特許文献】
【０００５】
【特許文献１】登録実用新案第３０５５０６４公報
【発明の概要】
【発明が解決しようとする課題】
【０００６】
しかし、この特許文献１に示す包装体は、照明器具本体９０７の中心部を保持するための固定具９１０を、底板９１１に裏面側から取り付けた場合、固定具９１０の底板フランジ部９０１がその厚みの分だけ底板９１１の裏面から突出するように存在する。このため、この底板９１１に固定された状態で照明器具本体９０７を、段ボール製外函９１５に挿入する場合、この底板フランジ部９０１の端面が、段ボール製外函９１５の開口端面に衝突して、円滑に収納できない問題があった。この場合、底板９１１に固定された照明器具本体９０７を段ボール製外函９１５に挿入して収納するためには、この衝突を避けるために、底板９１１に固定された照明器具本体９０７を若干浮かすようにして持ち上げるか、又は、段ボール製外函の開口端面を押し広げて挿入する必要があり、挿入作業に多大な手間と時間を要する問題もあった。
【０００７】
本発明が解決しようとする課題は、上記の問題点に鑑み、被収納物を包装箱に円滑に収納することができる包装材を提供することにある。
【課題を解決するための手段】
【０００８】
本発明の一態様に係る包装材は、平板状のトレーに装着された固定アダプタにより保持された照明器具を、包装箱の第１側壁を開放して内部に受け入れて、収容する包装材において、前記固定アダプタは、前記第１側壁と対向する第２側壁へと前記第１側壁側から延伸する延伸片を有し、前記トレーは、延伸片通過用の挿入口を有し、前記延伸片は、前記トレーにおける前記包装箱の底壁側から天井壁側へと傾斜する状態で、前記挿入口を通過していることを特徴としている。
【発明の効果】
【０００９】
本発明の構成によれば、上記のように、延伸片を備えているため、被収納物を固定アダプタを介してトレーに固定した状態で包装箱に収納する際、滑るようにして包装箱の開口部の縁に乗り上げることができる傾斜面を有する延伸片により固定アダプタをトレーに固定しているため、照明器具を安定的にかつ確実に固定して梱包しつつ、この固定アダプタが被収納物を包装箱に収納する際に支障となることがなく包装箱に円滑に収納して、簡易に包装作業を行うことができる実益がある。
【図面の簡単な説明】
【００１０】
【図１】実施形態に係る包装材の分解状態の斜視図である。
【図２】包装材の照明器具を収納した状態での縦断面図である。
【図３】実施形態に用いられる固定アダプタを示し、同図（ａ）はその斜視図、同図（ｂ）は（ａ）におけるＢ−Ｂ線断面図、同図（ｃ）は（ａ）における固定アダプタ上面の矢印Ｃの矢視図である。
【図４】実施形態の包装材により包装される照明器具の取付部を示し、同図（ａ）は取付面側から見た斜視図、同図（ｂ）は（ａ）における矢印Ｄの矢視図であり、引掛栓刃と規制部材の拡大斜視図である。
【図５】被取付部への照明器具の取付を示す斜視図である。
【図６】固定アダプタの内側から蓋部を見た図である。
【図７】固定アダプタと照明器具の係合状態の説明図であり、同図（ａ）は固定アダプタの開口側から見た係合開始時の底面図、同図（ｂ）は（ａ）におけるＡ−Ａ線断面図である。
【図８】固定アダプタと照明器具の係合状態の説明図であり、同図（ａ）は固定アダプタの開口側から見た係合完了時の底面図、同図（ｂ）は（ａ）におけるＡ’−Ａ’線断面図である。
【図９】延伸片を有さない固定アダプタを使用したときの包装構造を示す断面図である。
【図１０】延伸片を有さない固定アダプタを示し、同図（ａ）はその斜視図、同図（ｂ）は（ａ）におけるＢ’−Ｂ’線断面図である。
【図１１】包装箱と固定アダプタの傾斜面との干渉に関する説明図であり、同図（ａ）はその断面図、同図（ｂ）は（ａ）におけるＥ部拡大図である。
【図１２】延伸片を有さない固定アダプタを用いた場合の包装箱とトレー下面における固定アダプタとの干渉に関する説明図であり、同図（ａ）はその断面図、同図（ｂ）は（ａ）におけるＦ部拡大図である。
【図１３】従来の包装体の分解状態の斜視図である。
【発明を実施するための形態】
【００１１】
＜概要＞
実施形態に係る一態様に係る包装材は、平板状のトレーに装着された固定アダプタにより保持された照明器具を、包装箱の第１側壁を開放して内部に受け入れて、収容する包装材において、前記固定アダプタは、前記第１側壁側から前記第１側壁と対向する第２側壁に延伸する延伸片を有し、前記トレーは、延伸片通過用の挿入口を有し、前記延伸片は、前記トレーにおける前記包装箱の底壁側から天井壁側へと傾斜する状態で、前記挿入口を通過していることを特徴としている。
他の一態様に係る包装材は、前記固定アダプタは、前記照明器具を保持する保持部を有し、前記トレーは、前記保持部を前記底壁側から通過させる保持部用の抜き孔を有する。
【００１２】
他の一態様に係る包装材は、前記延伸片は、前記トレーよりも底壁側に位置する部位から延出している。他の一態様に係る包装材は、前記固定アダプタは、前記トレーにおける天井壁側の面より上方部位に、外方に向かって張り出す固定部を有する。
他の一態様に係る包装材は、前記固定アダプタは、トレーに対して前記底壁側に配される板状のベース部と、前記ベース部から前記挿入口を通過して前記天井壁側へと延出する筒部と、前記筒部の天井壁側の開口を塞ぐ蓋部とを有し、前記保持部は前記蓋部に設けられ、前記固定部は、筒部に設けられ、前記延伸片は、前記ベース部から延出している。
【００１３】
他の一態様に係る包装材は、被取付部に取り付けられる取付部を有する照明器具を包装する照明器具の包装材であって、前記照明器具を収納する包装箱と、前記包装箱内に収納可能な平板形状を有するトレーと、前記照明器具が取り付けられる一方、前記トレーに固定される固定アダプタと、を備え、前記固定アダプタは、前記トレーに形成された挿入口に挿通されて前記固定アダプタを前記トレーに固定する固定片（延伸片ともいう。）を有し、前記固定片は、前記固定アダプタを前記トレーに固定した場合に前記固定アダプタから前記トレー側に向かって傾斜して延びるようにして形成された傾斜面を有し、前記傾斜面は、前記照明器具を前記固定アダプタを介して前記トレーに固定した状態で前記包装箱に収納する際、滑るようにして前記包装箱の開口部の縁に乗り上げることができる。
他の一態様に係る包装材は、前記固定アダプタは、側面部に前記固定アダプタを前記トレーに固定するための固定部材を有する。
他の一態様に係る包装材は、前記トレーは、前記固定アダプタの側面部（筒部ともいう。）に設けられた前記固定部材に対応する位置に、前記固定部材が係合する抜き孔が形成されている。
【００１４】
以下、この発明の実施形態について図面を参照して説明する。なお、ここでは、被収納物は照明器具である。
図１及び図２は、実施形態に係る包装材を示し、この包装材は、図１及び図２に示すように、照明器具４の出荷に際し、この照明器具４を包装するに用いられるものである。包装材により包装される照明器具４としては、図５に示すような、天井面等である被取付面に設けられた被取付部５０に対して取付部４０が着脱自在に取り付けられる構造を有するものが適している。つまり、照明器具４として、図４に示すように、特に、天井面等に設けられた被取付部５０に取り付けられる一対の引掛栓刃４２ａ、４２ｂを取付部本体４５に備えた取付部４０を有するものが適している。取付部本体４５には、被取付部５０に取り付けられた引掛栓刃４２ａ、４２ｂの回動を規制する規制部材４３が設けられている。取付部本体４５は、ここでは、円盤状をしている。一対の引掛栓刃４２ａ、４２ｂは、取付部本体４５から上方に向けて延出し、突出先端が互いに対向する状態に内側に屈曲している。
【００１５】
被取付部５０は、例えば、丸型引掛シーリング、角型引掛シーリング、丸型フル引掛シーリング、フル引掛ローゼット（耳部付き）など、多くの種類が使われる。ここでは、図５に示すフル引掛ローゼットが利用されている。被取付部５０は、大径部５１ａと小径部５１ｂとを有する有底筒状のボディ５１の底部５１ｃに、一対の引掛栓刃４２ａ、４２ｂが挿入係合する取付溝５２ａ、５２ｂを有している。なお、ここで説明する照明器具４は、図４に示すように、取付部本体４５から天井側に延出して被取付部５０の小径部５１ｂの外周と嵌合する嵌合部４４を有している。嵌合部４４は、小径部５１ｂの外周径と同じ半径を内径とする円弧状であり、ボディ５１の中心軸の延伸する方向から見たときに、中心軸を挟んで対向する２か所で周方向に間隔をおいて配されている。
【００１６】
（１．包装材）
包装材は、図１及び図２に示すように、この照明器具４を収納する包装箱３と、照明器具４の引掛栓刃４２ａ、４２ｂを固定する引掛栓刃係合部を有する固定アダプタ１とを少なくとも備える。包装材は、包装箱３と固定アダプタ１の他、固定アダプタ１が固定されるトレー２を備えている。
【００１７】
（２．包装箱）
包装箱３は、第１側壁３ａを開放して、固定アダプタ１に取り付けられた照明器具４を内部に受け入れる構造を有する。包装箱３は、図１及び図２に示すように、段ボールにより偏平な箱形状に形成され、一側面に開口部３ｂを有し、この開口部３ｂの各縁にそれぞれフラップ３ｃが設けられている。ここでの箱形状は、トレー２の面と直交する方向から見たとき（この方向から見た形状を平面形状とする）、略正方形状をしている。フラップの１つが第１側壁３ａであり、第１側壁３ａにより開口部３ｂが塞がれる。なお、包装箱３を構成する天井壁３ｄ及び底壁３ｅは、トレー２に近い側を底壁として両者を区別する。また、照明器具４を包装箱３の内部に受け入れる方向（以下、「器具受入方向」という。）、あるいは、照明器具４を包装箱３の内部に挿入する方向（以下、「器具挿入方向」という。）は、閉じられた状態の第１側壁３ａと直交する方向である。この方向は、図１において矢印Ｘで示されている。
【００１８】
（３．トレー）
トレー２は、複合両面段ボールや両面段ボール等の強度の高い段ボールで形成された単板状の形状を有し、例えば包装箱３の平面形状に対応する四角形をなし、その中心部には円形の抜き孔２２が形成され、その近傍に一対の挿入口２１ａ、２１ｂが形成されている。トレー２は、固定アダプタ１により固定された照明器具４と共に開口部３ｂから包装箱３の内部に挿入される。トレー２は板状をしている。トレー２は、包装箱３の内部で、包装箱３を構成する側壁の内面と当接する形状を有している。ここでは、トレー２の平面視形状は、包装箱３の平面視形状と同じ正方形状をしている。したがって、トレー２の４つの端面が包装箱３の４つの側壁内面と略当接する。これにより、トレー２は、包装箱３と嵌合する構成となる。なお、トレーの平面視形状は、他の形状であっても、包装箱３と嵌合できる。他の平面視形状としては、正方形の４角を面取りしたような６角形状、正方形の４角を切り込んだ「＋(プラス）」の記号状（十文字状）、正方形の一辺を直径とする円形状等がある。
【００１９】
トレー２は、図１に示すように、少なくとも抜き孔２２を中央に有する。この抜き孔２２には固定アダプタ１の一部が挿入される。トレー２は、抜き孔２２以外に、一対の挿入口２１ａ、２１ｂを有している。この挿入口２１ａ、２１ｂは、固定アダプタ１を固定するためのものである。
挿入口２１ａ、２１ｂは、図１に示すように、照明器具４を包装箱３に挿入する際の器具挿入方向に沿って設けられている。つまり、２つの挿入口２１ａ、２１ｂを結ぶ仮想線と、器具挿入方向とが平行となっている。挿入口２１ａ、２１ｂは、矩形状をし、器具挿入方向と直交する方向に延伸している。なお、包装箱３において器具挿入方向と直交する側壁のうち、器具挿入方向の奥側に位置する側壁が、第１側壁３ａと対向する第２側壁に相当する（図１には現れていない）。
【００２０】
（４．固定アダプタ）
固定アダプタ１は、図１及び図２に示すように、トレー２の裏面（図２の下側）側からトレー２の抜き孔２２を貫通するようにしてトレー２に取り付けられて、トレー２の表面（図２の上側）において照明器具４が取り付けられて、照明器具４を包装箱３内に固定状態で収納する。換言すると、固定アダプタ１は照明器具４を保持した状態で包装箱３内に収納される。
【００２１】
固定アダプタ１は、照明器具４を保持する保持部を有している。保持部は、ここでは、照明器具４の取付部４０が被取付部５０に取り付けられる構造を疑似した取付疑似構造部により構成される。照明器具４がフル引掛ローゼットに装着されるような場合、取付疑似構造部は、一対の引掛栓刃４２ａ、４２ｂが挿入される引掛栓刃挿入孔１５０ａ、１５０ｂと、引掛栓刃挿入孔１５０ａ、１５０ｂから挿入された引掛栓刃４２ａ、４２ｂが係合する引掛栓刃被係合部とを有する。
固定アダプタ１は、図３に示すように、直径の異なる複数の筒部により構成され、下方の大径筒部１２と、この大径筒部１２と上方に形成される小径筒部１３とを有している。このうち、下方の大径筒部１２は、トレー２の抜き孔２２を貫通して、図２に示すようにトレー２の表裏にわたって設置される。上方の小径筒部１３は、トレー２の抜き孔２２を貫通して、トレー２の上方にまで達して、収納すべき照明器具４の取付部４０に形成された凹部(嵌合部４４による凹部である。）に入り込むことができる。
【００２２】
大径筒部１２は、下方に開口した開口部と、この開口部の周囲には開口縁から外側に水平に延びるフランジ１４とを有している。固定アダプタ１は、トレー２の下方側から抜き孔２２に大径筒部１２及び小径筒部１３を差し込んで貫通させた後、トレー２の裏面にフランジ１４（フランジ１４の一部である第３固定部１４ａ、１４ｂが現れている。）が密着するように、図２に示すように設置される。
換言すると、固定アダプタ１は、トレー２における包装箱３の底壁側(裏側）に配される板状のフランジ１４（本発明の「ベース部」の一例に相当する。）と、フランジ１４に設けられ且つトレー２の抜き孔２２を挿通する筒部１８と、筒部１８におけるフランジ１４と反対側に設けられた蓋部１９とを有している。筒部１８は、ここでは、小径筒部１３と大径筒部１２とを有する。
固定アダプタ１は、筒部１８が抜き孔２２を挿通する状態でトレー２に固定される固定手段を有している。上述した取付疑似構造部は蓋部１９に設けられている。
【００２３】
（４．−１  固定手段）
固定アダプタ１は、樹脂を用いて射出成形、又は、樹脂シートを用いて熱成形することにより、図３に示すように、フランジ１４側が開口した中空構造を有する形状に形成することができる。このため、剛性を維持しながら肉厚が薄くできているので、次に述べるトレー２に固定する際の各固定部に弾性を与えている。
【００２４】
固定アダプタ１は、固定アダプタ１をトレー２に固定等するために複数の固定手段を有する。固定手段には、抜き孔２２からの抜け防止手段と、抜き孔２２に装着した状態で回転するのを防止する回転防止手段とがある。固定手段は、複数の固定部から構成される。
具体的には、図３に示すように、フランジ１４の径方向にそれぞれ一対の第１固定部１１ａ、１１ｂと第２固定部１２ａ、１２ｂが設けられ、特に図３（ａ）に示すように、これらの第１固定部１１ａ、１１ｂと第２固定部１２ａ、１２ｂとの間に位置するフランジ１４の上面部分がトレー２の裏面に密着する一対の第３固定部１４ａ、１４ｂとして設けられている。
第２固定部１２ａ、１２ｂの下面と第３固定部１４ａ、１４ｂの上面（即ち、フランジ１４の上面）の間は、トレー２の厚さと略同等の間隔をもって形成され、図２に示すように、固定アダプタ１をトレー２に装着した場合に、これらの第２固定部１２ａ、１２ｂの下面（下端）と第３固定部１４ａ、１４ｂの上面（即ち、フランジ１４の上面）との間でトレー２を挟み込むようにしてトレー２に固定される。つまり、抜け防止手段は、第２固定部１２ａ、１２ｂと、第３固定部１４ａ、１４ｂとで構成される。なお、回転防止手段は、第１固定部１１ａ、１１ｂで構成される。
【００２５】
第１固定部１１ａ、１１ｂは、図３に示すように、フランジ１４の両端から斜め上方向に延びるようにして形成された爪状の形状を有する延伸片１１１ａ、１１１ｂにより構成されている。延伸片１１１ａ、１１１ｂは、図１１に示すように、トレー２の挿入口２１ａ、２１ｂを裏面側から表面側へと通過するように、フランジ１４から延出する（なお、図１１では、延伸片１１１ａが示されているが、延伸片１１１ｂも延伸片１１１ａと同様に延出している。）。ここでの「通過」は、延伸片１１１ａ、１１１ｂの先端が、平面視において、挿入口２１ａ、２１ｂに対して筒部１８と反対側に位置することをいう。
小径筒部１３や大径筒部１２の筒軸Ｏ（図６）の延伸する方向から固定アダプタ１を見たとき（この状態を平面視ともいう。）に、延伸片１１１ａ、１１１ｂは、当該筒軸を通る１つの仮想線分上であって筒軸Ｏから離れる方向に延出している。この仮想線分は、固定アダプタ１がトレー２に固定された状態で、照明器具４が包装箱３内に挿入される器具挿入方向と一致する。
【００２６】
筒軸Ｏと直交する方向であって一対の延伸片１１１ａ、１１１ｂが左右両側に位置する状態で固定アダプタ１を見たとき（この状態を側面視ともいう。）に、延伸片１１１ａ、１１１ｂは、フランジ１４の端縁から斜め上方へ延伸する。
平面視において、フランジ１４は、第１固定部１１ａ、１１ｂ（延伸片１１１ａ、１１１ｂ）が存在する部分を除いた領域で円環状をし、第１固定部１１ａ、１１ｂ（延伸片１１１ａ、１１１ｂ）が存在する領域で延伸片１１１ａ、１１１ｂ側が細くなる台形状をしている。平面視において、延伸片１１１ａ、１１１ｂは矩形状をしている。
固定アダプタ１がトレー２に固定された状態では、延伸片１１１ａ、１１１ｂは、トレー２における包装箱３の底壁３ｅ側から天井壁３ｄ側へと傾斜する状態で、挿入口２１ａ、２１ｂを通過している。延伸片１１１ａ、１１１ｂは固定アダプタ１におけるトレー２よりも底壁側に位置する部位、ここではフランジ１４から延出している。
【００２７】
第２固定部１２ａ、１２ｂは、図３に示すように、大径筒部１２の側面部（周壁）の一部に、固定アダプタ１の外周側に向けて傾斜する係合爪の形態で形成される。換言すると、第２固定部１２ａ、１２ｂは、筒部１８（ここでは大径筒部１２である。）の周壁に形成されている。第２固定部１２ａ、１２ｂは、「Ｕ」字の開口側が蓋部１９側に位置する「Ｕ」字状の切込みに囲まれ且つ前記トレー２における底壁側と反対側の面上を筒部１８の径方向外方へと張り出す。この第２固定部１２ａ、１２ｂは、本発明の「トレーにおける天井壁側の面より上方部位に、外方に向かって張り出す固定部」の一例に相当する。
【００２８】
第２固定部１２ａ、１２ｂは、蓋部１９からフランジ１４へと移るに従って、径方向外方への張り出し量が多くなる。平面視において、第２固定部１２ａ、１２ｂの下端は抜き孔２２を超えてトレー２の面上に位置している。つまり、一対の第２固定部１２ａ、１２ｂの下端間の距離は、少なくともトレー２の抜き孔２２の直径よりも大きく設定されている。第２固定部１２ａ、１２ｂは、上述したように、弾性変形させることができ、いずれも固定アダプタ１の中心側（内径側）に一対の第２固定部１２ａ、１２ｂが近づくように弾性変形させることができる。
【００２９】
これらの固定部を使用して、固定アダプタ１をトレー２に固定する方法について説明する。まず、固定アダプタ１を、トレー２の下方から、その抜き孔２２に蓋部側から挿入して貫通させる。この場合、トレー２の抜き孔２２の直径は、大径筒部１２の外径よりも若干大きく形成されている。このため、小径筒部１３を先頭に、固定アダプタ１を、この抜き孔２２に円滑に貫通させることができる。
【００３０】
また、この貫通に際しては、大径筒部１２の側面部から斜め下方に延びるようにして形成された第２固定部１２ａ、１２ｂを、抜き孔２２を構成する端面に係合させて、その復元力に抗して、大径筒部１２の内径側（筒軸側）に弾性変形させながら、第２固定部１２ａ、１２ｂをトレー２の上面側にまで移動させる。第２固定部１２ａ、１２ｂは、抜き孔２２を通過した後は、図２に示すように、その復元力により本来の形状である大径筒部１２の側面部から突出する形態に戻る。即ち、固定アダプタ１をトレー２の下方より抜き孔２２に挿入すると、抜き孔２２の縁に従って第２固定部１２ａ、１２ｂが大径筒部１２の内側に変形させられながら、大径筒部１２が抜き孔２２を進み、第２固定部１２ａ、１２ｂが抜き孔２２の通過を完了するとそれまで変形させられていた第２固定部１２ａ、１２ｂが弾性により復元する。これにより、第２固定部１２ａ、１２ｂは、図２に示すように、トレー２の上面に係合して、固定アダプタ１をトレー２に固定する。同時に、フランジ１４上の第３固定部１４ａ、１４ｂが、トレー２の下面に係合して、それ以上の大径筒部１２の上方への移動を規制する。こうして、固定アダプタ１は抜き孔２２に嵌合し、第２固定部１２ａ、１２ｂと第３固定部１４ａ、１４ｂとによりトレー２が挟持される。
なお、第２固定部１２ａ、１２ｂはトレー２の上面に係合していなくても、上面側へと張り出することで、固定アダプタ１のトレー２からの脱落を防止できる。同様に、フランジ１４は、トレー２の下面に係合しなくても、抜き孔２２の直径よりも大きく、抜き孔２２の周辺部に当接できる大きさを有していれば、固定アダプタ１のトレー２の通り抜けを防止できる。
【００３１】
一方、延伸片１１１ａ、１１１ｂは、図３に示すように、第３固定部１４ａ、１４ｂから連続して延長するようにして形成された爪状の突出部分であるため、第３固定部１４ａ、１４ｂを弾性変形させることにより、また、爪状の延伸片１１１ａ、１１１ｂ自体を内側へ折り曲げるようにして弾性変形させることができる。その弾性を利用し、延伸片１１１ａ、１１１ｂを、トレー２のうち、この延伸片１１１ａ、１１１ｂに対応する位置に設けられた挿入口２１ａ、２１ｂに、トレー２の下面側から上面側に向かって挿し込むことが可能である。これにより、固定アダプタ１は周方向への回転（回動）も規制されて、トレー２に固定される。この延伸片１１１ａ、１１１ｂによる回転を規制する固定、及び、前述の第２固定部１２ａ、１２ｂと第３固定部１４ａ、１４ｂとによる挟み込みの固定とを合わせて、固定アダプタ１をトレー２に確実に固定することができる。
【００３２】
（４．−２  延伸片の傾斜面）
ここに、包装箱３の形態として、主に使用されるものはシールエンド型、タッグエンド型、ロックボトム型の包装箱である。このうち、シールエンド型の場合、開口部の４辺それぞれにタグ(フラッペ）が付いているため、図１２に示すように傾斜面（延伸片１１１ａ、１１１ｂ）を有しない固定アダプタ１’を使用して被収納物（照明器具４）を収納するときは、たとえ、トレー２の下面において固定アダプタ１’の第３固定部１４ｂ’が突出していても（この突出した部分を「突出部分」という。）、タグ上に突出部分を載置できればタグの上を滑らせるようにすれば円滑に収納することができる。しかし、被収納物を収納する際には、包装箱３を平置きの状態にして行うことが多く、トレーにおける挿入側の先端部はタグ上に載置できるが、突出部分はタグ上に載置できない場合がある（図１２（ａ）のようになる）。
また、タッグエンド型とロックボトム型の場合、矩形状に開口する開口部の長辺側に１枚と短辺側に２枚のタグが付いており、長辺側のタグは包装箱の体裁面側（平置きした場合の上面に位置する表面側）に付いている。
【００３３】
従って、図１２（ａ）に示すように、照明器具４等の被収納物をタッグエンド型あるいはロックボトム型の包装箱３に収納するとき（場合によってはシールエンド型の包装箱も含まれる）、体裁面と対向するタグが存在しない面を下にするため、タグが上方に位置することになる一方、下方の開口縁部にはタグが存在しないため、被収納物を収納するとき固定アダプタ１’の突出部をタグの上を滑らせながら収納するということができない。そのため、図１２（ｂ）に示すように、トレー２の下面から突出した固定アダプタ１’の第３固定部１４ｂ’が、開口部のタグの付いていない開口端面に被収納物の一部が衝突し包装箱３を傷めてしまったり、収納に手間が掛かったりする虞がある。また、固定アダプタ１’の第３固定部１４ｂ’はトレー２の下面の中央部あるため感知するのが難しく、包装箱３の開口端面を傷めないように注意して収納作業を行うため、作業性が著しく低かった。
【００３４】
実施形態における固定アダプタ１では、固定アダプタ１をトレー２に固定した場合に固定アダプタ１からトレー２側に向かって傾斜して延びるように延伸片１１１ｂを形成している。即ち、図１１に示すように、固定アダプタ１は、組立完了状態でトレー２の下面に位置する第３固定部１４ａ、１４ｂから上方に傾斜して延びる延伸片１１１ａ、１１１ｂを有し、この延伸片１１１ａ、１１１ｂは挿入口２１ａ、２１ｂを貫通し、トレー２の上面側に突出している。
【００３５】
このため、図１１（ａ）に示すように照明器具４を固定したトレー２を包装箱３に収納するとき、包装箱３の開口部の開口端面にトレー２の下面から突出した延伸片１１１ｂは、包装箱３の開口部の開口端面との正面衝突を避ける方向に傾斜しているため、傾斜している延伸片１１１ｂの傾斜面が滑るようにして包装箱３の開口部の開口縁に乗り上げることができ、これにより、照明器具４を固定アダプタ１を介してトレー２に固定した状態で円滑に包装箱３に収納することができる。
【００３６】
また、このように、固定アダプタ１の第１固定部１１ａ、１１ｂである延伸片１１１ａ、１１１ｂが傾斜してトレー２の下面から上面へ貫通していることで、この傾斜面によりトレー２の下面の突起による包装箱３の開口部の損傷を防ぐことができるため、包装部品のロスコストを低減でき、また、損傷を防ぐことを気にせずに作業をすることができるので作業性が向上する点でも有益である。
【００３７】
（４．−３  取付疑似構造部）
図３（ｃ）に示すように、固定アダプタ１の小径筒部１３の上面には溝１６が設けられ、この溝１６内に取付疑似構造部である一対の引掛栓刃係合部１５ａ、１５ｂが設けられている。これらの一対の引掛栓刃係合部１５ａ、１５ｂは、図３（ｃ）に示すように、固定アダプタ１の上面の中心を中心とする一つの円環上において、それぞれ円弧状に形成されている。一対の引掛栓刃係合部１５ａ、１５ｂは、図３（ｃ）に示すように、それぞれ、一対の引掛栓刃４２ａ、４２ｂ挿入される引掛栓刃挿入孔１５０ａ、１５０ｂと、引掛栓刃４２ａ、４２ｂと係合する引掛栓刃被係合部とを有している。引掛栓刃係合板部１５１ａ、１５１ｂは引掛栓刃被係合部の一例に相当する。固定アダプタ１の蓋部１９の上面の引掛栓刃係合部１５ａ、１５ｂは、図２及び図４に示すように、照明器具４の取付部４０の嵌合部４４により形成された凹部に収納されて、この凹部に設けられた引掛栓刃４２ａ、４２ｂと係合する。
【００３８】
引掛栓刃挿入孔１５０ａ、１５０ｂは、図６に示すように、筒部１８の筒軸Ｏを中心とした円周上に位置し、筒軸Ｏの延伸する方から蓋部１９を見たときに、円周に沿って円弧状をしている。引掛栓刃挿入孔１５０ａ、１５０ｂは、引掛栓刃４２ａ、４２ｂを受け入れる受入部１５２ａ、１５２ｂと、引掛栓刃４２ａ、４２ｂが回動移動するための移動部１５３ａ、１５３ｂと有している。一対の引掛栓刃４２ａ、４２ｂは、図４（ｂ）に示すように、先端部が互いに対向するように、逆「Ｌ」字状をしている。このため、受入部１５２ａ、１５２ｂの開口は、移動部１５３ａ、１５３ｂでの開口よりも大きくなっている。引掛栓刃係合板部１５１ａ、１５１ｂは、固定アダプタ１の蓋部１９の溝１６の底壁（底板）であって移動部１５３ａ、１５３ｂに対して筒部１８の筒軸Ｏに近い部分で構成される。なお、溝１６は、一対の引掛栓刃４２ａ、４２ｂを受入部１５２ａ、１５２ｂへと案内するガイド機能を有する。
【００３９】
この引掛栓刃係合部１５ａ、１５ｂを用いて、固定アダプタ１に照明器具４を固定方法について、図７及び図８を参照しながら説明する。図４（ｂ）に示すように先端部がＬ字状である引掛栓刃４２ａ、４２ｂを、図７（ａ）、（ｂ）に示すように、引掛栓刃挿入孔１５０ａ、１５０ｂの受入部１５２ａ、１５２ｂに挿入して、その先端部を引掛栓刃係合板部１５１ａ、１５１ｂの深さに達するまで貫通させる。貫通させる際に、固定アダプタ１の蓋部１９の上面１７と、照明器具４の取付部４０（取付部本体４５）とを当接させると、引掛栓刃４２ａ、４２ｂの先端部が引掛栓刃係合板部１５１ａ、１５１ｂの深さに達する。
その後、固定アダプタ１の開口側から見て左回り（反時計方向）に回転させ、図８（ａ）、（ｂ）に示すように引掛栓刃４２ａ、４２ｂの先端部を引掛栓刃係合板部１５１ａ、１５１ｂに重畳させることにより、引掛栓刃４２ａ、４２ｂの先端部が引掛栓刃係合板部１５１ａ、１５１ｂに係合して照明器具４が固定アダプタ１に固定される。
【００４０】
この場合、左回りに回し切ると、図８（ａ）、（ｂ）に示すように、照明器具４に取付けられ上方に伸張するように付勢された規制部材４３が引掛栓刃挿入孔１５０ａ、１５０ｂの受入部１５２ａ、１５２ｂに達し、この規制部材４３に付与された付勢力によって、規制部材４３が引掛栓刃挿入孔１５０ａ（受入部１５２ａ、１５２ｂ）に突出し、この突出した規制部材４３に引掛栓刃挿入孔１５０ａ、１５０ｂ（受入部１５２ａ、１５２ｂ）が係合することにより、照明器具４の回動が規制される。なお、引掛栓刃挿入孔１５０ａ、１５０ｂは、引掛栓刃４２ａ、４２ｂの先端部を貫通させることができる一方、規制部材４３の周囲に対応する大きさ、形状に形成して、図８（ａ）、（ｂ）に示すように、規制部材４３の周囲を囲んで、規制部材４３の動きを規制する。このようにして、照明器具４が固定アダプタ１に回動できない状態で固定される。 
【００４１】
図２に示すように、固定アダプタ１の上面１７に照明器具４の取付部４０が引掛栓刃４２ａ、４２ｂにより密接しているため、安定した確実な状態で照明器具４がトレー２に固定されるため、従来梱包に使っていた固定用の粘着テープや固定ベルトなどの梱包用の副資材が不要となり、資源の無駄使い及び、生産コストの削減ができる。同時に、照明器具４を被取付部に取り付けるために照明器具４に設けられた引掛栓刃４２ａ、４２ｂと、この引掛栓刃４２ａ、４２ｂの回動を規制する規制部材４３を利用して、照明器具４を固定アダプタ１に固定しているため、固定アダプタ１以外に緩衝材等の包装のための特別な部材を用いることなく、照明器具４の回動を防止しつつ照明器具４を位置決めして固定することができる点においても、包装用材料の費用を節減しつつ、照明器具を確実に固定して包装することができる。
【００４２】
なお、図４に示すように、照明器具４は光源からの光の出射方向とは逆の面に、天井などの被取付面に取付けるための取付部４０を有し、本実施形態ではこの取付部４０が照明器具４と一体に形成されている。しかし、この取付部４０として、従来から使われている別体の取付部材（アダプタ）を用いる構成でも、本発明の包装材を使用することが可能である。
【００４３】
ユーザーが購入し被取付部に取付ける直前、開梱し照明器具４をトレー２、ひいては、固定アダプタ１から取り外す際には、通常の用法に従って、規制部材４３を解除する手段（不図示）を用いて照明器具４を、固定アダプタ１の開口側から見て右回りに回転させて、引掛栓刃４２ａ、４２ｂと引掛栓刃係合板部１５１ａ、１５１ｂとの係合を解除すると共に、引掛栓刃４２ａ、４２ｂを引掛栓刃挿入孔１５０ａ、１５０ｂから外せばよい。
【００４４】
＜変形例＞
以上、発明の一態様としての一実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更も発明に含まれる。
【００４５】
（１．照明器具）
実施形態では、カバーの形状が床面側から見たときに円形状をしている。しかしながら、床面側から見た形状が円形状以外の形状の照明器具であってもよい。また、実施形態では、天井に取り付けられる照明器具について説明しているが、壁等に取り付けられる壁掛け照明器具であってもよい。
【００４６】
（２．固定アダプタ）
実施形態の蓋部１９は、平面視において円形状をした溝１６を有し、その底壁に引掛栓刃挿入孔１５０ａ、１５０ｂを有している。しかしながら、引掛栓刃挿入孔は蓋部に直接設けられていてもよい。
実施形態の筒部１８は、大径筒部１２と小径筒部１３とから構成されている。しかしながら、略一定の直径を有する１つの筒部から構成されてもよい。照明器具４の嵌合部４４が嵌合できる直径を有するものが好ましい。
【００４７】
ベース部の一例に相当するフランジ１４は、筒部１８の下端で全周に亘って存在している。しかしながら、ベース部は、トレーの裏面に当接できればよく、全周に亘って存在しなくてもよい。つまり、ベース部は、固定アダプタ１がトレー２の抜き孔２２を裏面側から通り抜けるのを規制するためのものであり、１か所又は複数個所でトレーに当接できればよい。
実施形態では、蓋部１９の上面１７と面一状であって、筒部１８の筒軸Ｏを挟んで対抗する部位から径方向に張り出す張出部１２ｃ、１２ｄを有している。これにより、取付部４０を固定アダプタ１に取り付ける際、取付部４０における嵌合部４４が設けられていない領域と張出部１２ｃ、１２ｄとが一致するように、位置合わせすればよく、照明器具４の固定アダプタ１への取り付けを容易にできる。
【００４８】
（３．トレー）
実施形態のトレー２は、平板状をしていたが、例えば、トレーは、平板部と、平板部の端部に設けられたフラッペとを有するような形状であってもよい。また、蓋を有しない箱状をしていても良い。この場合、底壁に相当する部分に、固定アダプタを固定するための抜き孔等を設ければよい。
【００４９】
（４．包装箱）
実施形態の包装箱３は、内部に照明器具４を受け入れるための受入口を第１側壁３ａの利用により設けた構造を有していたが、例えば、天井壁が開閉するような箱構造であってもよい。
【産業上の利用可能性】
【００５０】
本発明は、リビングや和室、更に、寝室や子供部屋等の各居室や廊下、玄関等の天井面や壁面等に沿って設置される照明器具等を梱包して、運用、保管等することに広く適用することができる。
【符号の説明】
【００５１】
１  固定アダプタ
２  トレー
３  包装箱
４  照明器具
１１ａ、１１ｂ  第１固定部
１２  大径筒部
１２ａ、１２ｂ  第２固定部
１３  小径筒部
１４  フランジ
１４ａ、１４ｂ  第３固定部
１５ａ、１５ｂ  引掛栓刃係合部
１５０ａ、１５０ｂ  引掛栓刃挿入孔
１５１ａ、１５１ｂ  引掛栓刃係合板部
１７  上面
１８  筒部
１９  蓋部
２１ａ、２１ｂ  挿入口
２２  抜き孔
４０  取付部
４２ａ、４２ｂ  引掛栓刃
４３  規制部材
１１１ａ、１１１ｂ  延伸片
【要約】
【課題】  被収納物を包装箱に円滑に収納することができる包装材を提供することにある。
【解決手段】  包装材は、平板状のトレー２に装着された固定アダプタ１により保持された照明器具４を、包装箱３の第１側壁３ａを開放して内部に受け入れて、収容する包装材において、固定アダプタ１は、第１側壁３ａと対向する第２側壁へと第１側壁３ａ側から延伸する延伸片１１１ｂを有し、トレー２は、延伸片通過用の挿入口２１ｂを有し、延伸片１１１ｂは、トレー２における包装箱３の底壁側から天井壁側へと傾斜する状態で、挿入口２１ｂを通過している。
【選択図】図１１【図１】
0005771322.tif 000002
【図２】
0005771322.tif 000003
【図３】
0005771322.tif 000004
【図４】
0005771322.tif 000005
【図５】
0005771322.tif 000006
【図６】
0005771322.tif 000007
【図７】
0005771322.tif 000008
【図８】
0005771322.tif 000009
【図９】
0005771322.tif 000010
【図１０】
0005771322.tif 000011
【図１１】
0005771322.tif 000012
【図１２】
0005771322.tif 000013
【図１３】
0005771322.tif 000014